(57)【特許請求の範囲】
【請求項１】
短辺および長辺からなる方形断面を有するとともに、一端開口部および他端開口部を有し、前記短辺で接合される扁平パイプの製造方法において、
平板状の被加工板を打ち抜いて、前記被加工板の長手方向の両端に延びる一対の縦桟と、被加工物と、前記一対の縦桟および前記被加工物を連結するよう、前記縦桟と連結する縦桟連結部と前記被加工物と連結する被加工物連結部と、前記縦桟連結部と前記被加工物連結部とを前記縦桟から離隔して繋げる離隔部とを有する連結桟と、を形成する打ち抜き工程であって、前記離隔部の長手方向は前記被加工板の長手方向と平行であり、前記離隔部は前記離隔部の長手方向一端部において前記縦桟連結部を有するとともに前記離隔部の長手方向他端部において前記被加工物連結部を有することを特徴とする打ち抜き工程と、
前記被加工物の中央部分および前記連結桟の前記離隔部を前記縦桟に直交する方向で折り曲げて、前記被加工物を、前記被加工物連結部が連結されている一方側面部および前記被加工物連結部が連結されていない他方側面部の双方が所定の角度で起立するよう形成する折り曲げ工程と、
前記折り曲げ工程により折り曲げられた前記一方側面部および前記連結桟の前記離隔部のみを、前記折り曲げ工程により折り曲げられる前の元の状態に戻すよう前記被加工物および前記連結桟の前記離隔部の姿勢を変換する姿勢変換工程と、
を含むことを特徴とする扁平パイプの製造方法。
【請求項２】
前記姿勢変換工程の後に、前記連結桟の前記離隔部の平面から突出する突起を形成する突起形成工程が行われることを特徴とする請求項１に記載の扁平パイプの製造方法。
【請求項３】
前記突起形成工程の後に、前記他方側面部を前記一方側面部の方向に押圧し、前記一方側面部と前記他方側面部とが略並行の状態で対向するよう成形する押圧成形工程が行われることを特徴とする請求項２に記載の扁平パイプの製造方法。
【発明の詳細な説明】
【技術分野】
【０００１】
本発明は、扁平パイプの製造方法に関し、特に、プレス成形法により作製する扁平パイプの製造方法に関する。
【背景技術】
【０００２】
従来、この種のプレス成形法として、生産性の良好な順送りプレス加工装置によるプレス成形法が活用されている。順送りプレス加工装置は、異なる機能をもつ複数のプレス型をシート材の搬送方向に並設し、一方向に連続して延びるシート材を使って、シート材を搬送方向に搬送させつつ、各プレス型で次々と連続的にプレス成形を加えて成形を進める装置であり、高い生産性を有している。
このようなプレス成形法として、例えば、次のような順送りプレス加工方法が知られている（例えば、特許文献１参照）。
【０００３】
この順送りプレス加工方法は、送り桟幅が零で板取り設定された一対の第１ワーク部および第２ワーク部がペアで送られるようにしている。そして、シート材を長手方向へ一定のピッチで間欠送りしながら、送り方向の複数位置で複数段のプレス加工を同時に行うようにしている。
【０００４】
この順送りプレス加工方法は、第１ワーク部を送り方向と直角な幅方向の両端部において縁桟に連結する一対の連結部を残して、第１ワーク部の周縁部を切断する切断工程と、第１ワーク部を一対の連結部まわりに回転させて送り方向と交差するように起立させ、第２ワーク部との間に隙間を形成する第１回転工程と、第１ワーク部が起立させられた状態で、第２ワーク部に所定のプレス加工を施す第１加工工程とを有している。
【０００５】
この順送りプレス加工方法においては、第１加工工程で第２ワーク部にプレス加工を施す際、起立した第１ワーク部と第２ワーク部との間に隙間ができるので次の効果がある。すなわち、第２ワーク部の送り方向端部に曲げプレスや絞りプレスを行う場合でも、パンチやダイス等のプレス型の送り方向の寸法をワーク部間の隙間分だけ大きくでき、十分な強度を確保することが可能となる。その結果、プレス型の設計の自由度が高くなる。例えば、材料コストを低減したりプレス装置の小型化を図ったりするために送り桟幅を零とした場合でも、プレス型の設計の自由度が高くて十分な強度を確保できることになる。
【０００６】
また、このような順送りプレス加工方法で成形したワークを、さらに折り曲げ成形する場合、例えば、短辺および長辺からなる方形断面を有し、短辺で接合され、軸線方向に一端開口部および他端開口部を有する扁平パイプを成形により製造する場合、次のような工程により行われる。
【０００７】
すなわち、図２３（ａ）に示すように、扁平パイプは、カム面１０５ａを有する上側スライド金型１０５と、カム面１０５ａに接するカム面１０６ａを有する下側スライド金型１０６とを備えたプレス加工装置により成形される。搬送されたワークＷは、下側スライド金型１０６の中央部にセットされる。続いて、図２３（ｂ）に示すように、上側スライド金型１０５が下降し、カム面１０５ａがカム面１０６ａを押圧すると、下側スライド金型１０６がスライドし、ワークＷの両側面を押圧する。この押圧により、短辺同士が重なり合わさって方形断面を有する扁平パイプが完成する。
【先行技術文献】
【特許文献】
【０００８】
【特許文献１】特開平８−１９８２３号公報
【発明の概要】
【発明が解決しようとする課題】
【０００９】
しかしながら、このような従来の扁平パイプの製造方法においては、図２３（ａ）に示すように、搬送されたワークＷを、下側スライド金型１０６の中央部にセットする際、ワークＷと上側スライド金型１０５との間に隙間Ｓが必要となるので、大きなプレスストロークＬを確保しなければならない。
また、ワークＷを下側スライド金型１０６にセットする際、搬送ラインから上方に一端リフトする必要があり、搬送ラインでリフト量を確保する必要がある。
このような大きなプレスストロークの確保や搬送ラインにおけるリフト量の確保は、生産効率の低下を招いてしまうという問題がある。
また、図２３（ｂ）に示すように、上側スライド金型１０５の下降方向と、下側スライド金型１０６のスライド方向が直交するカム機構で金型が構成されるので、金型のコストが高くなり、ひいては製品の生産コストの増大を招いてしまうという問題がある。
【００１０】
本発明は、上述のような従来の問題を解決するためになされたもので、簡単な構造の金型を活用でき、高い生産効率で成形することができる扁平パイプの製造方法を提供することを課題とする。
【課題を解決するための手段】
【００１１】
本発明に係る扁平パイプの製造方法は、上記課題を解決するため、（１）短辺および長辺からなる方形断面を有するとともに、一端開口部および他端開口部を有し、前記短辺で接合される扁平パイプの製造方法において、平板状の被加工板を打ち抜いて、前記被加工板の長手方向の両端に延びる一対の縦桟と、被加工物と、前記一対の縦桟および前記被加工物を連結するよう、前記縦桟と連結する縦桟連結部と前記被加工物と連結する被加工物連結部と、前記縦桟連結部と前記被加工物連結部とを前記縦桟から離隔して繋げる離隔部とを有する連結桟と、を形成する打ち抜き工程であって、前記離隔部の長手方向は前記被加工板の長手方向と平行であり、前記離隔部は前記離隔部の長手方向一端部において前記縦桟連結部を有するとともに前記離隔部の長手方向他端部において前記被加工物連結部を有することを特徴とする打ち抜き工程と、前記被加工物の中央部分および前記連結桟の前記離隔部を前記縦桟に直交する方向で折り曲げて、前記被加工物を、前記被加工物連結部が連結されている一方側面部および前記被加工物連結部が連結されていない他方側面部の双方が所定の角度で起立するよう形成する折り曲げ工程と、前記折り曲げ工程により折り曲げられた前記一方側面部および前記連結桟の前記離隔部のみを、前記折り曲げ工程により折り曲げられる前の元の状態に戻すよう前記被加工物および前記連結桟の前記離隔部の姿勢を変換する姿勢変換工程と、を含むことを特徴とする。
【００１２】
この構成により、本発明に係る扁平パイプの製造方法においては、簡単な構造の金型を活用できるとともに、高い生産効率で扁平パイプを作製することができる。
すなわち、折り曲げ工程において、一方側面部および他方側面部の双方が所定の角度で起立するよう折り曲げられた被加工物に対して、姿勢変換工程を設けたので、被加工物の高さが著しく低減される。その結果、従来のプレス装置における大型で、カム機構を備えた金型によらなくても、被加工物を成形することができ、高い生産効率で扁平パイプを作製することができ、簡単な構造の金型を活用できる。したがって、金型のコストが著しく低減され、ひいては製品の生産コストが低減される。
【００１３】
上記（１）に記載の扁平パイプの製造方法において、（２）前記姿勢変換工程の後に、前記連結桟の前記離隔部の平面から突出する突起を形成する突起形成工程が行われることを特徴とする。
【００１４】
この構成により、本発明に係る扁平パイプの製造方法においては、突起形成工程において、連結桟の離隔部にそれぞれ突起を形成するようにしたので、離隔部の剛性を高めることができる。その結果、姿勢変換工程により、姿勢変換された被加工物の姿勢および形状が安定し、ばらつきの少ない安定した品質を有する扁平パイプを作製することができる。また、本発明に係る扁平パイプの製造方法においては、被加工物の姿勢および形状が安定するので、単位時間当たりの加工製品の個数（ＳＰＭ：Shots Per Minute）を向上させることができ、生産効率が高まる。
【００１５】
上記（１）に記載の扁平パイプの製造方法において、（３）前記突起形成工程の後に、前記他方側面部を前記一方側面部の方向に押圧し、前記一方側面部と前記他方側面部とが略並行の状態で対向するよう成形する押圧成形工程が行われることを特徴とする。
【００１６】
この構成により、本発明に係る扁平パイプの製造方法においては、押圧成形工程において、簡単な構造の下側金型、上側金型により、いわゆるＯ曲げを行うことができる。この点、カム面を有する上側スライド金型とカム面を有する下側スライド金型で構成されたカム機構を備えた従来のプレス加工装置の場合、大きなプレスストロークＬを確保しなければならなかった。また、搬送ラインでリフト量を確保する必要があり、生産効率の低下を招いてしまうという問題があった。また、カム機構で金型が構成されるので、金型のコストが高くなり、ひいては製品の生産コストの増大を招いてしまうという問題があった。
本発明に係る扁平パイプの製造方法においては、Ｏ曲げの金型は、小型のものでプレス加工をすることができるようになり、従来の問題となっていたプレスストロークや搬送ラインでのリフト量を少なくすることができる。その結果、従来の生産効率の低下の問題が解消され、生産効率が高まる。
【発明の効果】
【００１７】
本発明によれば、簡単な構造の金型を活用でき、高い生産効率で成形することができる扁平パイプの製造方法を提供することができる。
【図面の簡単な説明】
【００１８】
【図１】本発明に係る扁平パイプの製造方法の実施形態を示す図であり、ＥＧＲクーラの平面図である。
【図２】本発明に係る扁平パイプの製造方法の実施形態を示す図であり、ＥＧＲクーラの側面図である。
【図３】本発明に係る扁平パイプの製造方法の実施形態を示す図であり、ＥＧＲクーラの正面図である。
【図４】本発明に係る扁平パイプの製造方法の実施形態を示す図であり、図１のＡ−Ａ断面を示す断面図である。
【図５】本発明に係る扁平パイプの製造方法の実施形態を示す図であり、図２のＢ−Ｂ断面を示す断面図である。
【図６】本発明に係る扁平パイプの製造方法の実施形態を示す図であり、図２のＣ−Ｃ断面を示す断面図である。
【図７】本発明に係る扁平パイプの製造方法の実施形態を示す図であり、ケースに組み付けられる７個の扁平パイプの斜視図である。
【図８】本発明に係る扁平パイプの製造方法の実施形態を示す図であり、扁平パイプの斜視図である。
【図９】本発明に係る扁平パイプの製造方法の実施形態を示す図であり、ＥＧＲクーラの製造工程を示す工程図である。
【図１０】本発明に係る扁平パイプの製造方法の実施形態を示す図であり、扁平パイプ作製工程を示す工程図である。
【図１１】本発明に係る扁平パイプの製造方法の実施形態を示す図であり、（ａ）は、搬送されるシート材の斜視図であり、（ｂ）は、打ち抜きされたワークの斜視図である。
【図１２】本発明に係る扁平パイプの製造方法の実施形態を示す図であり、（ａ）は、両端部が折り曲げられたワークの斜視図であり、（ｂ）は、折り曲げ型の模式図である。
【図１３】本発明に係る扁平パイプの製造方法の実施形態を示す図であり、（ａ）は、Ｕの字形状に折り曲げられる状態のワークの斜視図であり、（ｂ）は、折り曲げ型の模式図である。
【図１４】本発明に係る扁平パイプの製造方法の実施形態を示す図であり、（ａ）は、Ｕの字形状に折り曲げられたワークおよび折り曲げ型の斜視図であり、（ｂ）は、姿勢変換された状態のワークの斜視図である。
【図１５】本発明に係る扁平パイプの製造方法の実施形態を示す図であり、（ａ）は、連結桟に打ち出し加工がされた状態のワークの斜視図であり、（ｂ）は、連結桟の上側方向に凸条に形成された状態のＤ−Ｄ断面を示す断面図であり、（ｃ）は、連結桟の下側方向に凸条に形成された状態のＤ−Ｄ断面を示す断面図である。
【図１６】本発明に係る扁平パイプの製造方法の実施形態を示す図であり、（ａ）は、Ｏの字形状に折り曲げられたワークの斜視図であり、（ｂ）は、折り曲げ型の模式図である。
【図１７】本発明に係る扁平パイプの製造方法の実施形態を示す図であり、ワークが切断された状態を示す斜視図である。
【図１８】本発明に係る扁平パイプの製造方法の実施形態を示す図であり、（ａ）は、ケースに組み付けられる前の扁平パイプの断面図であり、（ｂ）は、ケースに組み付けられる途中の扁平パイプの断面図である。
【図１９】本発明に係る扁平パイプの製造方法の実施形態を示す図であり、（ａ）は、ケース内の仮付されていない扁平パイプに治具を挿入した状態の断面図であり、（ｂ）は、ケース内の扁平パイプが仮付された状態の断面図である。
【図２０】本発明に係る扁平パイプの製造方法の実施形態を示す図であり、（ａ）は、ケース内の全ての扁平パイプに治具を挿入した状態の断面図であり、（ｂ）は、ケース内の一部の扁平パイプに治具を挿入した状態の断面図である。
【図２１】本発明に係る扁平パイプの製造方法の実施形態を示す図であり、ケース内の積層された扁平パイプの寸法とケースの内壁面間の寸法を示す断面図である。
【図２２】従来の扁平パイプの製造方法を示す図であり、ろう付けされた状態の扁平パイプとケースの一部を示す断面図である。
【図２３】従来の扁平パイプの製造方法を示す図であり、（ａ）は、搬送されたワークＷを下側スライド金型にセットされる状態の模式図であり、（ｂ）は、上側スライド金型および下側スライド金型により成形される状態の模式図である。
【発明を実施するための形態】
【００１９】
以下、本発明に係る扁平パイプの製造方法を内燃機関の排気再循環（ＥＧＲ：Ｅｘｈａｕｓｔ  Ｇａｓ  Ｒｅｃｉｒｃｕｌａｔｉｏｎ）装置におけるＥＧＲクーラ１を構成する扁平パイプ１２の製造方法に適用した実施形態について、図面を参照して説明する。
【００２０】
（実施形態）
図１ないし図６に示すように、ＥＧＲクーラ１は、ケース１１と、扁平パイプ１２と、ガス流入ガイド１３と、ガス排出ガイド１４と、冷却水流入ガイド１５と、冷却水排出ガイド１６と、ケース１１に設けられＥＧＲクーラ１を図示しないエンジン本体に装着する一対のブラケットとを含んで構成されている。このＥＧＲクーラ１は、エンジン本体から排気される排気ガスと冷却水との間で熱交換し、排気ガスの温度を低下させて吸入空気内に再循環させるよう構成されている。
【００２１】
ケース１１は、図７に示すように、ケース本体２１と、ケースカバー２２とを有しており、内部に扁平パイプ１２を収容するようになっている。
ケース本体２１は、コの字形状の断面を有し、対向する内壁面２１ａ間の長さがＬ１で形成され、一方の内壁面２１ｂと開口端２１ｃとの間の長さがＬ１よりも長いＬ２で形成されている。このケース本体２１には、方形の貫通孔２１ｄが形成されており、この貫通孔２１ｄ内を冷却水が流通するようになっている。
【００２２】
このケース本体２１は、板金をプレス加工により作製してもよく、他の作製方法、例えば、金属をダイキャストなどの成形方法により作製するようにしてもよい。
ケースカバー２２は、長方形の板金で形成されており、ケース本体２１の開口端２１ｃにろう付けなどの接合手段により接合されるようになっている。このケースカバー２２には、方形の貫通孔２２ａが形成されており、この貫通孔２２ａ内を冷却水が流通するようになっている。
【００２３】
図８に示すように、扁平パイプ１２は、短辺３１ａおよび長辺３１ｂからなる方形断面の中央部３１と、短辺３１ａよりも大きな短辺３２ａと長辺３１ｂからなる方形断面の一端開口部３２とを有している。また、扁平パイプ１２は、一端開口部３２の反対側で、短辺３１ａよりも大きな短辺３３ａと長辺３１ｂからなる方形断面の他端開口部３３を有している。短辺３１ａは、長さＬ３で形成され、短辺３２ａ、３３ａは、Ｌ４で形成され、長辺３１ｂは、Ｌ５で形成されている。短辺３１ａ、３２ａ、３３ａおよび長辺３１ｂの縦横比、長さＬ３、Ｌ４、Ｌ５は、ケース本体２１の長さＬ１、Ｌ２、ＥＧＲクーラ１の構造、形状、熱交換容量などの設計諸元により適宜選択される。
【００２４】
中央部３１、一端開口部３２および他端開口部３３は一体的に形成されている。
一方側の短辺３１ａおよび短辺３２ａは、長辺３１ｂから対向するように互いに屈曲し、所定の幅で重ね合わされており、いわゆるオーバーラップされた構成となっている。扁平パイプ１２は、短辺３１ａおよび短辺３２ａのオーバーラップ部分で接合され、扁平なパイプとして形成されるようになっている。
【００２５】
この扁平パイプ１２は、ケース１１内に７個が組み付けされ、それぞれが互いに、ろう付けされるようになっている。また、扁平パイプ１２がケース１１内に組み付けされた状態で、扁平パイプ１２の外壁面とケース１１の内壁面との間の隙間は、組み付けされる際の作業性やろう付けする際のろう付け性が最適になるよう設定されている。
【００２６】
ガス流入ガイド１３は図１ないし図３に示すように、エンジン本体から排気される排気ガスをケース１１の各扁平パイプ１２内に流入させるよう排気ガス流通管１０１と連結される連結部１３ａと、ケース１１と連結される連結部１３ｂとを有している。ガス流入ガイド１３は、連結部１３ａおよび連結部１３ｂとの間で排気ガスを流通させる流通部１３ｃを有しており、各構成要素は一体的に形成されている。
連結部１３ｂがケース１１に連結された状態で、連結部１３ｂの内壁面とケース１１の外壁面との間の隙間は、連結する際の作業性やろう付けする際のろう付け性が最適になるよう設定されている。
【００２７】
ガス排出ガイド１４は、ケース１１の各扁平パイプ１２内を流通した排気ガスを排出させて排気ガス流通管１０２内に流入させるよう排気ガス流通管１０２と連結される連結部１４ａと、ケース１１と連結される連結部１４ｂとを有している。ガス排出ガイド１４は、ガス流入ガイド１３と同様、連結部１４ａおよび連結部１４ｂとの間で排気ガスを流通させる流通部１４ｃを有しており、各構成要素は一体的に形成されている。
連結部１４ｂがケース１１に連結された状態で、連結部１４ｂの内壁面とケース１１の外壁面との間の隙間は、連結する際の作業性やろう付けする際のろう付け性が最適になるよう設定されている。
【００２８】
冷却水流入ガイド１５は、冷却水と空気との間で熱交換する熱交換器、例えば、ラジエータから供給される冷却水をケース１１の内壁面と各扁平パイプ１２の中央部３１の外壁面との間に形成される間隙内に流入させるよう構成されている。
【００２９】
この冷却水流入ガイド１５は、冷却水流通管１０３と連結される連結部１５ａと、ケース１１のケースカバー２２と連結される連結部１５ｂとを有している。
この冷却水流入ガイド１５は、連結部１５ａおよび連結部１５ｂとの間で冷却水を流通させる流通部１５ｃを有しており、各構成要素は一体的に形成されている。
【００３０】
連結部１５ｂは、図６、図７に示すように、方形に形成された開口１５ｄを有しており、供給された冷却水をケース１１内の７個の扁平パイプ１２により画成される各間隙に均一に流入させるよう、開口を大きくしている。
連結部１５ｂは、ケースカバー２２にろう付けや溶接などの接合手段により連結されており、流通する冷却水が漏れないようになっている。
【００３１】
冷却水排出ガイド１６は、ケース１１の内壁面と各扁平パイプ１２の中央部３１の外壁面との間に形成される間隙内を流通した冷却水を冷却水流通管１０４内に流入させるよう構成されている。
この冷却水排出ガイド１６は、冷却水流通管１０４と連結される連結部１６ａと、ケース１１のケース本体２１と連結される連結部１６ｂとを有している。
【００３２】
また、この冷却水排出ガイド１６は、連結部１６ａおよび連結部１６ｂとの間で冷却水を流通させる流通部１６ｃを有しており、各構成要素は一体的に形成されている。
連結部１６ｂは、図７に示すように、方形に形成された開口１６ｄを有しており、流通した冷却水７個の扁平パイプ１２により画成される各間隙から均一に排出させるよう、開口を大きくしている。
連結部１６ｂは、ケース本体２１にろう付けや溶接などの接合手段により連結されており、流通する冷却水が漏れないようになっている。
【００３３】
次に、実施形態に係るＥＧＲクーラ１の製造方法を説明する。
ＥＧＲクーラ１の製造方法は、次の製造工程によって構成されている。すなわち、ＥＧＲクーラ１の製造工程は、図９に示すように、準備工程と、扁平パイプ作製工程と、ケース作製工程と、ろう材内部塗布工程と、組付前仮付工程と、扁平パイプ組付工程と、治具挿入工程と、組付後仮付工程と、ろう材外部塗布工程と、ろう付け工程と、ブラケット類取付工程と、リーク検査工程とを含んで構成されている。
【００３４】
各工程は、上記の記載順に行われるが、扁平パイプ作製工程およびケース類作製工程は、同時に行われてもよく、逆の順で行われてもよい。また、準備工程およびリーク検査工程は、製造工程に含まれていなくてもよい。
【００３５】
準備工程は、ＥＧＲクーラ１を製造する加工機などの製造装置、治具や工具などの製造に必要なものを準備し、装置の点検、調整を含む公知の準備工程からなる。
【００３６】
扁平パイプ作製工程は、図１０に示すように、打ち抜きステップと、両端部折り曲げステップと、Ｕ曲げ成形ステップと、姿勢変換ステップと、突起形成ステップと、Ｏ曲げ成形ステップと、ワーク切断ステップとを含んで構成されている。
この扁平パイプ作製工程は、図示しない順送りプレス加工装置によるプレス成形法で各ステップが上記の記載の順に行われる。
【００３７】
この順送りプレス加工装置は、異なる機能をもつ複数のプレス型をシート材の搬送方向に並設し、一方向に連続して延びる帯状のシート材を搬送方向に搬送させつつ、併設した各プレス型で次々と連続的にプレス加工を加えて成形を進める装置で構成されている。
この順送りプレス加工装置は、製品の形状、大きさ、構造、材質などの製品の特性によって異なるが、前述のＳＰＭが３０個ないし６０個程の高い生産性を有している。
【００３８】
打ち抜きステップは、図１１（ａ）、（ｂ）に示すように、金属からなる平板状の被加工板Ｐを打ち抜いて、被加工板Ｐの矢印ｎで示す長手方向の両端に延びる一対の縦桟５１、５２と、被加工物となるワークＷの外形と、一対の縦桟５１、５２およびワークＷを連結する連結桟５３、５４とを形成するステップからなる。さらに、送り桟５５や図示しないパイロット孔などのプレスに必要な形状が打ち抜かれる。
連結桟５３は、縦桟５１に連結する縦桟連結部５３ａと、ワークＷと連結するワーク連結部５３ｂと、縦桟連結部５３ａとワーク連結部５３ｂとを縦桟５１から離隔して繋げる離隔部５３ｃとを有している。
【００３９】
連結桟５４は、連結桟５３と長手方向の中央部を中心とする左右対称形で形成されており、縦桟５２に連結する縦桟連結部５４ａと、ワークＷと連結するワーク連結部５４ｂと、縦桟連結部５４ａとワーク連結部５４ｂとを縦桟５２から離隔して繋げる離隔部５４ｃとを有している。なお、離隔部５３ｃ、５４ｃは、プレス加工におけるいわゆる曲げ桟を構成している。
【００４０】
実施形態に係る扁平パイプの製造方法における打ち抜きステップは、本発明に係る扁平パイプの製造方法における打ち抜き工程に対応する。また、ワーク連結部５３ｂとワーク連結部５４ｂは、被加工物連結部にそれぞれ対応する。
【００４１】
両端部折り曲げステップは、図１２（ａ）、（ｂ）に示すように、ワークＷの一方端部６１と、他方端部６２の両端部に、所定の高さおよび同じ上方向に直角になるよう送り桟５５と並行方向に折り曲げるステップからなる。この曲げは、下側金型６３および上側金型６４により、プレス加工されるいわゆるＬ曲げによる。
【００４２】
Ｕ曲げ成形ステップは、図１３（ａ）、（ｂ）に示すように、ワークＷの長手方向の中央部分および連結桟５３、５４の離隔部５３ｃ、５４ｃを縦桟５１、５２に直交する方向でＵの字形に折り曲げるステップからなる。このＵ曲げにより、ワークＷには、ワーク連結部５３ｂとワーク連結部５４ｂとが連結されている一方側面部７１と、ワーク連結部５３ｂとワーク連結部５４ｂとが連結されていない他方側面部７２が形成される。
【００４３】
このＵ曲げ成形ステップにおいて、連結桟５３、５４の離隔部５３ｃ、５４ｃが曲げられるので、縦桟５１、５２に曲げ力が作用することなくワークＷを曲げることができる。
ワークＷは、一方側面部７１および他方側面部７２が、それぞれＵ曲げ前の平面から所定の角度、例えば、６０°ないし８０°程度で起立する姿勢となる。
このＵ曲げは、下側金型７３および上側金型７４によりプレス加工される。
実施形態に係る扁平パイプ１２の製造方法におけるＵ曲げ成形ステップは、本発明に係る扁平パイプの製造方法における折り曲げ工程に対応する。
【００４４】
姿勢変換ステップは、図１４（ａ）、（ｂ）に示すように、Ｕ曲げ成形ステップにより折り曲げられた一方側面部７１および連結桟５３、５４の離隔部５３ｃ、５４ｃのみを、Ｕ曲げ成形ステップにより折り曲げられる前の元の状態に戻すようワークＷおよび５３、５４の離隔部５３ｃ、５４ｃの姿勢を変換するからなる。したがって、Ｕ曲げ成形ステップにより折り曲げられた他方側面部７２は、曲げ加工がなされた状態で、姿勢が変換される。この姿勢変換は、一方側面部７１および連結桟５３、５４の離隔部５３ｃ、５４ｃのみを押圧する図示しない金型によって行われる。
実施形態に係る扁平パイプの製造方法における姿勢変換ステップは、本発明に係る扁平パイプの製造方法における姿勢変換工程に対応する。
【００４５】
突起形成ステップは、図１５（ａ）、（ｂ）に示すように、姿勢変換ステップの後に、連結桟５３、５４の離隔部５３ｃ、５４ｃの平面からそれぞれ突出する突起８１を形成するステップからなる。この突起は、図１５（ｃ）に示すように、突起８１と反対側の裏面に突出する突起８２であってもよい。
この突起８１または突起８２は、図示しない下側金型および上側金型によりプレス加工されて形成される。この突起８１または突起８２により、連結桟５３、５４の剛性が高まるので、姿勢変換ステップの後に、ワークＷの姿勢が安定する。
【００４６】
Ｏ曲げ成形ステップは、図１６（ａ）、（ｂ）に示すように、突起形成ステップの後に、他方側面部７２を一方側面部７１の方向に押圧し、一方側面部７１と他方側面部７２とが略並行の状態で対向するようＯ曲げ成形するステップからなる。
このＯ曲げは、下側金型９１および上側金型９２によりプレス加工される。
実施形態に係る扁平パイプ１２の製造方法におけるＯ曲げ成形ステップは、本発明に係る扁平パイプの製造方法における押圧成形工程に対応する。
【００４７】
ワーク切断ステップは、図１７に示すように、Ｏ曲げ成形ステップの後に、Ｏ曲げ成形されたワークＷをワーク連結部５３ｂ、５４ｂから切り離すステップからなる。このワーク切断ステップにより、扁平パイプが得られる。
なお、図１０に示す扁平パイプ作製工程は、前述のように打ち抜きステップからワーク切断ステップまでの各ステップを経て行われ、扁平パイプが得られるが、説明の便宜上、いくつかのステップを省略して説明した。
【００４８】
実施形態に係るＥＧＲクーラ１を構成する扁平パイプ１２を作製するには、経るべきいくつかのステップが必要となる。具体的には、扁平パイプ１２は、前述のように、図８に示す短辺３１ａおよび長辺３１ｂからなる方形断面の中央部３１と、短辺３１ａよりも大きな短辺３２ａと長辺３１ｂからなる方形断面の一端開口部３２とを有している。また、扁平パイプ１２は、一端開口部３２の反対側で、短辺３１ａよりも大きな短辺３３ａと長辺３１ｂからなる方形断面の他端開口部３３を有している。そのため、実際の扁平パイプ１２を作製するには、前述の各ステップの適正なステップ間に、一端開口部３２と他端開口部３３を成形するいくつかのステップが必要となる。
【００４９】
ケース類作製工程は、プレス加工や成形加工などの公知の加工工程からなり、ケース本体２１、ケースカバー２２、ガス流入ガイド１３、ガス排出ガイド１４、冷却水流入ガイド１５、冷却水排出ガイド１６およびＥＧＲクーラ１をエンジン本体に装着する一対のブラケットが作製される。公知の加工工程としては、例えば、下金型および上金型を備え、曲げ加工、打ち抜き加工および成形加工などのプレス加工を行うプレス機械と、被加工材をプレス機械に供給するよう搬送する搬送機械により作製する加工工程が挙げられる。
【００５０】
ろう材内部塗布工程は、ケース本体２１およびケースカバー２２の内部、扁平パイプ１２の短辺３１ａ、３２ａのオーバーラップ部分、すなわち、内壁面のろう付けに必要な領域にろう材を塗布する公知の塗布工程からなる。このろう材は、接合する母材よりも融点の低い合金、例えば、銀の合金で構成されている。このろう材塗布工程には、塗布前に被塗布部品を洗浄し、塗布後に被塗布部品を乾燥する公知の工程が含まれる。
【００５１】
公知の塗布工程としては、例えば、ペースト状態のろう材を塗布する方法、スクリーン印刷なとの印刷による方法、粉末状のろう材を散布する方法、箔帯などのシート材を貼り付ける方法などが挙げられる。なお、この中でも粉末状のろう材を散布する方法などの粉末金属を塗布する方法は、自動化に対応することができ多量生産に適している。
【００５２】
組付前仮付工程は、扁平パイプ作製工程により作製された複数の扁平パイプ１２のうち、ケース本体２１の内壁面２１ａに接する扁平パイプ１２を仮付けする工程からなる。
この仮付けは、扁平パイプ１２をケース本体２１に組み付ける前に行われ、図１８（ａ）に示すように、扁平パイプ１２の短辺３２ａのｋで示すオーバーラップ部分を接合するもので、ＴＩＧ溶接やスポット溶接などの溶接により行われる。この仮付け工程により、扁平パイプ１２はパイプとしての剛性が高められる。すなわち、外力が加わった際に変形し難いパイプとなる。
【００５３】
扁平パイプ組付工程は、図１８（ｂ）に示すように、組付前仮付工程により、仮付けされた一対の扁平パイプ１２の間に５個の仮付けされていない扁平パイプ１２を挟むようにして、ケース本体２１に組み付ける工程からなる。
【００５４】
治具挿入工程は、図１９（ａ）に示すように、仮付けされた一対の扁平パイプ１２の間の５個の仮付けされていない扁平パイプ１２に治具１１０を挿入する工程からなる。
この治具１１０は、くさびの形に形成されており、扁平パイプ１２に挿入することにより、ケース本体２１と７個の扁平パイプ１２との間の隙間を弾性変形させて詰めることができ、ろう付けに最適な隙間を得ることができる。
【００５５】
また、治具挿入工程は、図２０（ａ）に示すように、ｋで示す仮付けされた一対の扁平パイプ１２および仮付けされていない５個の扁平パイプ１２に治具１１０を挿入する工程によって行ってもよい。また、７個の扁平パイプ１２のうち、任意の扁平パイプ１２に治具１１０を挿入するようにしてもよい。例えば、図２０（ｂ）に示すように、中央に位置する扁平パイプ１２に治具１１０を挿入するようにしてもよく、他の複数の扁平パイプ１２に治具１１０を挿入するようにしてもよい。
【００５６】
組付後仮付工程は、図１９（ｂ）に示すように、治具挿入工程により前述の隙間が詰められた状態で、扁平パイプ１２の各長辺３１ｂを仮付けする工程からなる。
長辺３１ｂの仮付けは、組付前仮付工程と同様、ＴＩＧ溶接やスポット溶接などの溶接により行われ、例えば、２箇所が溶接される。
【００５７】
ろう材外部塗布工程は、ケース１１の外部、すなわち、ガス流入ガイド１３とケース１１の接合領域、ガス排出ガイド１４とケース１１の接合領域、冷却水流入ガイド１５とケース１１の接合領域、冷却水排出ガイド１６とケース１１の接合領域にろう材を塗布する公知の塗布工程からなる。この塗布工程は、ろう材内部塗布工程と同様の方法で行われる。
なお、ろう材外部塗布工程の前には、治具挿入工程により挿入された治具１１０は取り外される。
【００５８】
ろう付け工程は、ろう材外部塗布工程によりろう材が塗布されたケース１１、ガス流入ガイド１３、ガス排出ガイド１４、冷却水流入ガイド１５および冷却水排出ガイド１６が、図１に示すように組立てられた状態で、炉内にセットされ、公知のろう付け方法により行われる。
【００５９】
公知のろう付け方法としては、例えば、ろう付けする部品の加熱を炉内で行う炉中ろう付け、炎の燃焼熱を利用したガスろう付け、加熱コイルに高周波誘導電流を流し、加熱コイル遅角の被ろう付け部品に誘導電流を生じさせ、その自己加熱によってろう付けする高周波ろう付け、一定時間、被ろう付け部品に適当な電流を流し、その抵抗熱を利用してろう付けする抵抗ろう付けなどが挙げられる。
このろう付け工程により、塗布されたろう材が溶融して、部品同士が均一に隙間なく接合される。
【００６０】
ブラケット類取付工程は、エンジン本体にＥＧＲクーラ１を装着するための一対のブラケットや、その他必要な部品をケース１１に取り付ける工程からなる。取付方法は、公知の方法で行われ、例えば、前述のＴＩＧ溶接やスポット溶接などの溶接により行われる。
【００６１】
リーク検査工程は、ろう付け工程によりろう付けがされ、ブラケット類取付工程によりブラケット類が取り付けられたＥＧＲクーラ１に対して公知の検査方法により行われる。
公知の検査方法としては、例えば、ガス流入ガイド１３、ガス排出ガイド１４、冷却水流入ガイド１５および冷却水排出ガイド１６の各開口部分をキャップなどの閉塞部材で閉塞して行われる。そして、閉塞されたＥＧＲクーラ１の内部に空気圧を加える圧力供給部材をＥＧＲクーラ１に接続して、所定の圧力を加えて検査する。ＥＧＲクーラ１から空気もれが有るか否かを、例えば、ＥＧＲクーラ１全体を水中に浸漬して確認するようにしてもよい。
【００６２】
次に、ＥＧＲクーラ１の作用について簡単に説明する。
図示しないエンジンが始動され、運転状態に応じて、ＥＧＲクーラ１と図示しない吸気装置との間に設けられたＥＧＲバルブが開状態となる。ＥＧＲバルブが開かれると、エンジンから排出された排気ガスは、排気ガス流通管１０１を通って、図１の矢印ａに示すように、ガス流入ガイド１３からケース１１内に流入する。そして、排気ガスは、扁平パイプ１２内を流通して、図１の矢印ｂに示すように、ガス排出ガイド１４から排気ガス流通管１０２を通って吸気装置に還流される。
【００６３】
排気ガスがケース１１内を流通するとき、図示しないラジエータから冷却水流通管１０３を経由して冷却水が、図１の矢印ｃに示すように、冷却水流入ガイド１５に流入する。この冷却水は、扁平パイプ１２とケース本体２１の内壁面２１ａとの間の間隙および各扁平パイプ１２の中央部３１間に形成された間隙を流通して、冷却水排出ガイド１６から、図１の矢印ｄに示すように、冷却水流通管１０４内に排出され、ラジエータに還流される。
【００６４】
扁平パイプ１２内を流通する高温の排気ガスは、ケース１１内を流通する冷却水との間で熱交換が行われ、温度を下げられて、ガス排出ガイド１４から排気ガス流通管１０２に排出される。排気ガスを冷却してから吸気装置を介してエンジンに送り込むことで、混合気が燃焼する際の最高温度を低くすることができ、窒素酸化物（ＮＯｘ）の発生量を抑えることができる。
【００６５】
吸気中の酸素含有量を排気ガスの量で調整することにより、スロットルを絞っているのと同じ状況を作り出すことができるため、スロットルの開度を大きくすることができ、吸気時における損失、いわゆるポンピングロスを低減することができ、ひいては燃費の向上を図ることができる。すなわち、エンジンのピストン１ストローク当たりの吸入酸素量が減少することで、あたかも小排気量のエンジンのアクセルを踏み込んで走行するのと同等の燃費が得られる。
【００６６】
実施形態における扁平パイプ１２の製造方法は、上記に説明したように構成されているので、以下の効果が得られる。
すなわち、実施形態における扁平パイプ１２の製造方法は、打ち抜きステップと、両端部折り曲げステップと、Ｕ曲げ成形ステップと、姿勢変換ステップと、突起形成ステップと、Ｏ曲げ成形ステップと、ワーク切断ステップとを含んで構成されている。
この扁平パイプ作製工程は、順送りプレス加工装置によるプレス成形法で各ステップが順に行われるようになっている。
【００６７】
その結果、実施形態における扁平パイプ１２の製造方法においては、簡単な構造の金型を活用できるとともに、高い生産効率で扁平パイプ１２を作製することができるという効果が得られる。
【００６８】
すなわち、Ｕ曲げ成形ステップにおいて、Ｕの字形に折り曲げられたワークＷに対して、姿勢変換ステップを設けたので、ワークＷの高さを著しく低減することができる。その結果、従来のプレス装置における金型のカム機構によらなくても、ワークＷを成形できるようになった。したがって、金型のコストが著しく低減され、ひいては製品の生産コストを低減することができるという効果が得られる。
【００６９】
さらに、突起形成ステップにおいて、連結桟５３、５４の離隔部５３ｃ、５４ｃにそれぞれ突起８１を形成したので、離隔部５３ｃ、５４ｃの剛性を高めることができた。その結果、姿勢変換ステップにより、姿勢変換されたワークＷの姿勢および形状が安定し、ばらつきの少ない安定した品質を有する扁平パイプ１２を作製することができるという効果が得られる。また、実施形態における扁平パイプ１２の製造方法においては、前述のＳＰＭを向上させることができ、生産効率が高まるという効果が得られる。
【００７０】
また、Ｏ曲げ成形ステップにおいて、簡単な構造の下側金型９１、上側金型９２によりＯ曲げを行うことができる。
この点、図２３（ａ）、（ｂ）に示すカム面１０５ａを有する上側スライド金型１０５とカム面１０６ａを有する下側スライド金型１０６とを備えた従来のプレス加工装置の場合、大きなプレスストロークＬを確保しなければならない。また、搬送ラインでリフト量を確保する必要があり、生産効率の低下を招いてしまうという問題があった。また、カム機構で金型が構成されるので、金型のコストが高くなり、ひいては製品の生産コストの増大を招いてしまうという問題があった。
【００７１】
実施形態におけるＯ曲げの金型は、小型のものでプレス加工をすることができるようになり、従来の問題となっていたプレスストロークや搬送ラインでのリフト量を少なくすることができた。その結果、従来の生産効率の低下の問題が解消されるという効果が得られる。
【００７２】
また、実施形態におけるＥＧＲクーラ１の製造方法においては、仮付工程の前に、治具挿入工程が行われるので、各扁平パイプ１２間および扁平パイプ１２とケース本体２１間の短辺方向の隙間を弾性変形させて詰めることができる。その結果、扁平パイプ１２の組み付け精度が向上する。
【００７３】
なお、一般にろう付けする母材間の隙間は、０．１ｍｍないし０．５ｍｍ程度以内であることが要請され、０．２ｍｍ程度が好ましい寸法とされている。各扁平パイプ１２を正寸出しして仮付けした場合には、隙間が小さいので、扁平パイプ１２をケース本体２１に組み付ける際に、扁平パイプ１２をケース本体２１内に挿入し難くなってしまう。これに対して、実施形態におけるＥＧＲクーラ１の製造方法においては、仮付けされていない変形可能な扁平パイプ１２があるので、扁平パイプ１２をケース本体２１に組み付ける際に、扁平パイプ１２をケース本体２１内に挿入し易くなり、組み付けの作業性が向上する。
【００７４】
なお、この隙間をｓとすると、隙間ｓは、図２１に示すように、ケース本体２１の内壁面２１ａ間の寸法Ｌ１と、各扁平パイプ１２を積層した短辺方向の寸法、Ｌ４×７＋ｓが等しくなることから、隙間ｓは、Ｌ１−Ｌ４×７で表される。この隙間ｓがろう付けに好適な寸法になるよう治具挿入工程により弾性変形させて詰められた状態で仮付けすることができるので、組み付け精度を著しく向上させることができる。
【００７５】
すなわち、複数の扁平パイプ１２のケース本体２１内への容易な組み付け性と、複数の扁平パイプ１２およびケース本体２１の高い組み付け精度とを両立させることができる。
【００７６】
実施形態におけるＥＧＲクーラ１の製造方法においては、ケース１１内に７個の扁平パイプ１２が組み込まれた構成で説明した。
しかしながら、ＥＧＲクーラ１の製造方法においては、７個以外の他の員数で構成するようにしてもよい。例えば、最小の３個であってもよく、８個ないし１５個の員数であってもよく、また、それ以上の員数の扁平パイプで構成するようにしてもよい。
【００７７】
また、実施形態におけるＥＧＲクーラ１の製造方法においては、冷却水流入ガイド１５が、ガス流入ガイド１３の近傍に配置され、冷却水排出ガイド１６が、ガス排出ガイド１４の近傍でガス流入ガイド１３と対向する側面に配置した場合について説明した。
【００７８】
しかしながら、ＥＧＲクーラ１の製造方法においては、冷却水流入ガイドおよび冷却水排出ガイドは、任意の位置に配置するようにしてもよい。例えば、冷却水流入ガイドをガス排出の近傍に配置し、冷却水排出ガイドをガス流入ガイドの近傍で冷却水流入ガイドに対向する側面に配置してもよく、冷却水流入ガイドおよび冷却水排出ガイドをケースの同じ側面に配置するようにしてもよい。
【００７９】
また、実施形態におけるＥＧＲクーラ１の製造方法においては、ガス流入ガイド１３が、流入する排気ガスをケース１１の軸線方向の中心に向かって流入させるよう構成し、ガス排出ガイド１４が、ガス流入ガイド１３と同様の方向に向かって排気ガスを排出させるよう構成した場合について説明した。
【００８０】
しかしながら、ＥＧＲクーラ１の製造方法においては、ガス流入ガイドおよびガス排出ガイドは、任意の方向に排気ガスを案内するようにしてもよい。例えば、ガス流入ガイドをケースの側面方向に向かって案内するようにしてもよく、ガス排出ガイドをケースの側面方向に向かって案内するようにしてもよい。
【００８１】
以上のように、本発明に係る扁平パイプの製造方法は、簡単な構造の金型を活用でき、高い生産効率で成形することができる扁平パイプの製造方法を提供することができるという効果を有し、短辺および長辺からなる方形断面を有する扁平パイプの製造方法全般に有用である。
【符号の説明】
【００８２】
１  ＥＧＲクーラ
１１  ケース
１２  扁平パイプ
１３  ガス流入ガイド
１４  ガス排出ガイド
１５  冷却水流入ガイド
１６  冷却水排出ガイド
２１  ケース本体
２２  ケースカバー
３１  中央部
３１ａ、３２ａ、３３ａ  短辺
３１ｂ  長辺
３２  一端開口部
３３  他端開口部
５１、５２  縦桟
５３、５４  連結桟
５３ａ、５４ａ  縦桟連結部
５３ｂ、５４ｂ  ワーク連結部（被加工物連結部）
５３ｃ、５４ｃ  離隔部
７１  一方側面部
７２  他方側面部
８１、８２  突起
Ｗ  ワーク（被加工物）
【図１】
0005803737.tif 000002
【図２】
0005803737.tif 000003
【図３】
0005803737.tif 000004
【図４】
0005803737.tif 000005
【図５】
0005803737.tif 000006
【図６】
0005803737.tif 000007
【図７】
0005803737.tif 000008
【図８】
0005803737.tif 000009
【図９】
0005803737.tif 000010
【図１０】
0005803737.tif 000011
【図１１】
0005803737.tif 000012
【図１２】
0005803737.tif 000013
【図１３】
0005803737.tif 000014
【図１４】
0005803737.tif 000015
【図１５】
0005803737.tif 000016
【図１６】
0005803737.tif 000017
【図１７】
0005803737.tif 000018
【図１８】
0005803737.tif 000019
【図１９】
0005803737.tif 000020
【図２０】
0005803737.tif 000021
【図２１】
0005803737.tif 000022
【図２２】
0005803737.tif 000023
【図２３】
0005803737.tif 000024